(57)【要約】【課題】  高価なレーザ溶着装置、あるいは、大型のレーザ溶着装置を用いることなく、かつ、製造工程を簡素化し、製造コストを低減することが可能な移動物体検出装置を提供する。【解決手段】収納部２を備えたハウジング３と、収納部２を覆うカバー４とを備え、収納部２内に被検出体の移動を検出する検出手段５を配設した移動物体検出装置１において、ハウジング３をレーザ光を吸収する光吸収性樹脂から構成し、カバー４をレーザ光を透過する光透過性樹脂から構成し、カバー４は、収納部２を覆う天板部４ａを備え、ハウジング３は、収納部２の周囲で、かつカバー４の天板部４ａに接する当接部８を備え、カバー４と当接部８とをレーザ溶着したものである。【選択図】  図１
2010256269.tif 000002
【特許請求の範囲】
【請求項１】
収納部を備えたハウジングと、前記収納部を覆うカバーとを備え、前記収納部に被検出体の移動を検出する検出手段を配設した移動物体検出装置において、前記ハウジングをレーザ光を吸収する光吸収性樹脂から構成し、前記カバーを前記レーザ光を透過する光透過性樹脂から構成し、前記カバーは、前記収納部を覆う天板部を備え、前記ハウジングは、前記収納部の周囲で、かつ前記カバーの天板部に接する当接部を備え、前記天板部と前記当接部とをレーザ溶着したことを特徴とする移動物体検出装置。
【請求項２】
前記カバーは、前記天板部の周縁に前記ハウジングの外周面の一部を覆う周壁部を備え、前記ハウジングは、前記周壁部によって覆われている所定箇所に溝部を備え、前記溝部に封止部材を配設し、前記カバーは、前記ハウジングの前記溝部に配設された前記封止部材を圧縮したことを特徴とする請求項１に記載の移動物体検出装置。
【請求項３】
前記ハウジングは、前記当接部の内側に溝部を設け、前記溝部に封止部材を配設し、前記カバーは、前記ハウジングの前記溝部に配設された前記封止部材を圧縮したことを特徴とする請求項１に記載の移動物体検出装置。
【請求項４】
前記ハウジングは、前記当接部の外側に溝部を設け、前記溝部に封止部材を配設し、前記カバーは、前記ハウジングの前記溝部に配設された前記封止部材を圧縮したことを特徴とする請求項１に記載の移動物体検出装置。
【請求項５】
前記カバーは、前記レーザ溶着された溶着痕を確認可能な色味と厚みを有することを特徴とする請求項１から請求項３のいずれかに記載の移動物体検出装置。
【発明の詳細な説明】
【技術分野】
【０００１】
本発明は、被検出体（歯車等）の移動を検出する移動物体検出装置に関するものである。
【背景技術】
【０００２】
従来、移動物体検出装置が種々提案されており、例えば特許文献１に開示されている。斯かる移動物体検出装置は、磁気変化を検出するセンシング部を備える検出部と、外部引出し用の端子を有するコネクタ部とが一体的に樹脂によって成型されたモールド成型体とを有するものである。
【０００３】
この移動物体検出装置は、センシング部の露出された箇所を金属製のカバー体で覆い、このカバー体を加締め加工を施すことによって、カバー体をセンサ本体に固定する構造となっている。
【０００４】
しかしながら、このような移動物体検出装置は、カバー体の加締め加工が必要となり、製造工程を複雑であるだけでなく、製造コストが高いという問題を有していた。
【０００５】
この問題点を解決するものとして特許文献２に開示される移動物体検出装置が提案されている。
【０００６】
この移動物体検出装置は、円筒状のハウジングと、前記ハウジングの開口を蓋する円柱状のキャップ部とを備え、磁石と磁気検出素子とを前記ハウジング内に配置し、前記ハウジングの円筒内周面と前記キャップ部の円柱外周面の所定部分が、レーザ溶着されてなるものであった。
【先行技術文献】
【特許文献】
【０００７】
【特許文献１】特開平１１−３２５９６１号公報
【特許文献２】特開２００６−２７５６３９号公報
【発明の概要】
【発明が解決しようとする課題】
【０００８】
しかしながら、このような移動物体検出装置は、前記ハウジングの円筒内周面と前記キャップ部の円柱外周面の所定部分を、レーザ溶着するものであるため、レーザ照射部が円柱形状の移動物体検出装置の周囲を回るか、あるいは、前記移動物体検出装置を周囲からレーザ照射しなければならなかったため、高価なレーザ溶着装置、あるいは、大型のレーザ溶着装置を必要とし、製造コストが上昇するといった問題点があった。
【０００９】
そこで、本発明は、前述した問題点に着目し、高価なレーザ溶着装置、あるいは、大型のレーザ溶着装置を用いることなく、かつ、製造工程を簡素化し、製造コストを低減することが可能な移動物体検出装置を提供するものである。
【課題を解決するための手段】
【００１０】
本発明は前記目的を達成するため、収納部を備えたハウジングと、前記収納部を覆うカバーとを備え、前記収納部に被検出体の移動を検出する検出手段を配設した移動物体検出装置において、前記ハウジングをレーザ光を吸収する光吸収性樹脂から構成し、前記カバーを前記レーザ光を透過する光透過性樹脂から構成し、前記カバーは、前記収納部を覆う天板部を備え、前記ハウジングは、前記収納部の周囲で、かつ前記カバーの天板部に接する当接部を備え、前記天板部と前記当接部とをレーザ溶着したものである。
【００１１】
また、前記カバーは、前記天板部の周縁に前記ハウジングの外周面の一部を覆う周壁部を備え、前記ハウジングは、前記周壁部によって覆われている所定箇所に溝部を備え、前記溝部に封止部材を配設し、前記カバーは、前記ハウジングの前記溝部に配設された前記封止部材を前記周壁部によって圧縮したものである。
【００１２】
また、前記ハウジングは、前記当接部の内側に溝部を設け、前記溝部に封止部材を配設し、前記カバーは、前記ハウジングの前記溝部に配設された前記封止部材を圧縮したものである。
【００１３】
また、前記ハウジングは、前記当接部の外側に溝部を設け、前記溝部に封止部材を配設し、前記カバーは、前記ハウジングの前記溝部に配設された前記封止部材を圧縮したものである。
【００１４】
また、前記カバーは、前記レーザ溶着された溶着痕を確認可能な色味と厚みを有するものである。
【発明の効果】
【００１５】
本発明によれば、所期の目的を達成でき、高価なレーザ溶着装置、あるいは、大型のレーザ溶着装置を用いることなく、かつ、製造工程を簡素化し、製造コストを低減することが可能な移動物体検出装置を提供することができる。
【図面の簡単な説明】
【００１６】
【図１】本発明の第１実施形態の移動物体検出装置の断面図。
【図２】本発明の第２実施形態の移動物体検出装置の断面図。
【発明を実施するための形態】
【００１７】
本発明の第１実施形態の移動物体検出装置１を、図１を用いて説明する。移動物体検出装置１は、収納部２を備えたハウジング３と、収納部２を覆うカバー４とを備え、収納部２に被検出体の移動を検出する検出手段５を配設したものである。
【００１８】
ハウジング３は、レーザ光を吸収する光吸収性樹脂からなり、外部引出し用の端子６を有するコネクタ部７を一体的に成型した構造体である。ハウジング３のコネクタ部７の反対側は、円柱形状であり、この円柱形状の端部３ａに凹部からなる収納部２を備えている。この収納部２に検出手段５が固定されている。また、ハウジング３は、端部３ａで、収納部２の周囲にカバー４の後述する天板部と接する当接部８を備えている。この当接部８は、環状で切れ目なく形成されている。
【００１９】
また、ハウジング３の外周面３ｂには、二つの環状の溝部９、１０が形成されている。一方の溝部９は、円柱形状のハウジング３の外周面３ｂの収納部２（あるいは、当接部８）の近傍に、他方の溝部１０は、ハウジング３の中程に、それぞれ設けられている。そして、各々の溝部９、１０には、封止部材であるＯリング１１、１２が装着されている。
【００２０】
カバー４は、レーザ光を透過する光透過性樹脂からなる成型された構造体である。本実施形態では、カバー４は、カップ形状であり、円盤形状の天板部４ａと、この天板部４ａから連続した円筒形状の周壁部４ｂとを備えている。天板部４ａが、収納部２を覆い、周壁部４ｂが、ハウジング３の円柱形状の外周面３ｂの一部を覆うものである。なお、周壁部４ｂは、Ｏリング１１を設けた溝部９を覆ってもいる。
【００２１】
ハウジング３とカバー４とは、レーザ溶着によって固定されている。レーザが、カバー４を透過してハウジング３の当接部８とカバー４の天板部４ａとの接触部分に到達し、前記接触部分の温度を上げ、ハウジング３とカバー４を溶かして固定するものである。
【００２２】
ハウジング３とカバー４との接触部分は、同一平面上に存在するため、レーザ溶着時のレーザ照射を、同一平面上で行うことができる。従来のような、レーザ照射部が円柱形状の移動物体検出装置の周囲を回るか、あるいは、前記移動物体検出装置の周囲からレーザ照射する必要がなくなり、高価なレーザ溶着装置、あるいは、大型のレーザ溶着装置を必要とせず、製造コストの上昇を抑制することができる。
【００２３】
なお、１３は、溶着痕であり、カバー４は、レーザ溶着された溶着痕を確認可能な色味と厚みであるので、溶着痕１３を確認することで、レーザ溶着後の溶着の良否を判定することができる。
【００２４】
また、カバー４は、ハウジング３の溝部９に配設されたＯリング１１を周壁部４ｂによって圧縮し、気密性を確保している。なお、ハウジング３とカバー４とのレーザ溶着が、気密性を確保するものであれば、Ｏリング１１を設ける必要はない。
【００２５】
検出手段５は、センシング部１４、回路基板５ａ及び回路素子５ｂから構成されている。センシング部１４は、ホールＩＣ１４ａと磁石１４ｂとからなり、被検出体の回転を検出する。ホールＩＣ１４ａは、回路基板５ａの図１中下面に搭載され、カバー４に近接した状態にて配置される。ホールＩＣ１４ａは、被検出体の回転に伴う磁力の変化を電気信号に変換し、端子６の一端部６ａを介して外部に出力する。磁石１４ｂは、回路基板５ａの図１中上面に接着剤にて固定され、ホールＩＣ１４ａに磁場を与えるものである。
【００２６】
端子６は、屈曲形成された３本のリードフレームからなり、端子６の他端部６ｂは半田によって回路基板５ａと電気的に接続されている。コネクタ部７は、検出手段５からの出力を外部機器へ接続伝達するものである。
【００２７】
本実施形態によれば、カバー４は、天板部４ａを備え、ハウジング３は、カバー４の天板部４ａに接する当接部８を備え、カバー４とハウジング３の当接部８とをレーザ溶着したことにより、高価なレーザ溶着装置、あるいは、大型のレーザ溶着装置を用いることなく、かつ、製造工程を簡素化し、製造コストを低減することが可能になる。
【００２８】
次に、本発明の第２実施形態の移動物体検出装置１を、図２を用いて説明する。なお、第１実施形態と同一および相当箇所には、同一符号を付して、その詳細な説明は、省略する。
【００２９】
第１実施形態では、溝部９をハウジング３の外周面３ｂに設けていたが、第２実施形態では、ハウジング３の端部３ａで当接部８の内側に、溝部９ａを設けたものである。この溝部９ａに、封止部材であるＯリング１１を装着したものである。
【００３０】
また、カバー４の周壁部４ｃも、第１実施形態に比べて短く形成されている。なお、本実施形態では、カバー４は、周壁部４ｃを備えず、天板部４ａのみであってもよい。
【００３１】
本実施形態によれば、ハウジング３の端部３ａで当接部８の内側に、溝部９ａを設けたことによって、Ｏリング１１に組み付けが容易となり、さらに生産性が向上し、製造コストを低減することができる。
【００３２】
なお、図示していないが、第２実施形態の変形例として、溝部９ａを当接部８の外側に設けたものであっても良い。この変形例でも、第２実施形態と同様の作用効果を得ることができる。
【産業上の利用可能性】
【００３３】
本発明は、検出手段をハウジングとカバーで収納した移動物体検出装置に利用可能である。
【符号の説明】
【００３４】
１    移動物体検出装置
２    収納部
３    ハウジング
３ａ  端部
３ｂ  外周面
４    カバー
４ａ  天板部
４ｂ  周壁部
５    検出手段
８    当接部
９、９ａ、１０  溝部
１１、１２  Ｏリング（封止部材）
１３    溶着痕
【図１】
2010256269.tif 000003
【図２】
2010256269.tif 000004